【手続補正書】
【提出日】平成16年2月16日(2004.2.16)
【手続補正１】
【補正対象書類名】明細書
【補正対象項目名】特許請求の範囲
【補正方法】変更
【補正の内容】
【特許請求の範囲】
【請求項１】
ペダルを回転させる被験者が座る座部と、この座部を支持する固定部と、この固定部に対して高さを調節自在としたハンドル部と、上記被験者の手首または指先部分に装着されて最高血圧値や最低血圧値を計測する血圧センサを備えた運動療法装置において、上記ハンドル部に設けられ上記被験者に対して光線を照射する発光部と、この発光部からの光線が照射された後に血圧値の測定を開始する処理部とを備えた運動療法装置。
【請求項２】
ペダルを回転させる被験者が座る座部と、この座部を支持する固定部と、この固定部に対して高さを調節自在としたハンドル部と、上記被験者の手首または指先部分に装着されて最高血圧値や最低血圧値を計測する血圧センサを備えた運動療法装置において、上記ハンドル部に設けられ上記被験者に対して光線を照射する発光部と、この発光部から照射された光線を上記被験者の心臓位置に装着された反射部を介して受光したときに受光検知信号を出力する受光部と、この受光部からの受光検知信号を入力したときに血圧値の測定を開始する処理部とを備えた運動療法装置。
【請求項３】
ペダルを回転させる被験者が座る座部と、この座部を支持する固定部と、この固定部に対して高さを調節自在としたハンドル部と、上記被験者の手首または指先部分に装着されて最高血圧値や最低血圧値を計測する血圧センサを備えた運動療法装置において、上記被験者の心臓位置に装着され光線を照射する発光部と、上記ハンドル部に設けられ上記発光部からの光線を受光したときに受光検知信号を出力する受光部と、この受光部からの受光検知信号を入力したときに血圧値の測定を開始する処理部とを備えた運動療法装置。
【請求項４】
受光部は、受光した光線の強さを検出しこの光線の強さが最大となったときに受光検知信号を出力することを特徴とする請求項２または請求項３記載の運動療法装置。
【請求項５】
ペダルを回転させる被験者が座る座部と、この座部を支持する固定部と、この固定部に対して高さを調節自在としたハンドル部と、上記被験者の手首または指先部分に装着されて最高血圧値や最低血圧値を計測する血圧センサを備えた運動療法装置において、被験者の撮像を開始し、画面の特定部位を被計測者の心臓位置に装着された位置特定部に一致させることができたときに、撮像検知信号を出力する撮像部と、この撮像部からの撮像検知信号を入力したときに血圧値の測定を開始する処理部とを備えた運動療法装置。
【請求項６】
処理部は、ハンドル部の高さ調整時に受光部、または撮像部からの検知信号を入力できたときに、ハンドル部の高さ調整が終了したものとして終了アラームを発生させることを特徴とする請求項２から請求項５記載のうちのいずれか１項記載の運動療法装置。
【請求項７】
処理部は、受光部、または撮像部からの検知信号を入力できなくなったときに警告アラームを発生させるか、または血圧値の測定を中断させることを特徴とする請求項２から請求項６記載のうちのいずれか１項記載の運動療法装置。
【請求項８】
ペダルを回転させる被験者が座る座部と、この座部を支持する固定部と、この固定部に対して高さを調節自在としたハンドル部と、上記被験者の手首または指先部分に装着されて最高血圧値や最低血圧値を計測する血圧センサを備えた運動療法装置において、上記被験者方向に引き延ばされ、上記血圧センサと上記被験者の心臓との高さを一致させる高さ位置合わせ部材と、この高さ位置合わせ部材を引き延ばした後、血圧値の計測を開始する処理部とを備えた運動療法装置。
【手続補正２】
【補正対象書類名】明細書
【補正対象項目名】００１０
【補正方法】変更
【補正の内容】
【００１０】
【課題を解決するための手段】
この発明に係る運動療法装置は、ハンドル部に設けられた発光部からの光線が被験者に対して照射された後に処理部により血圧値の測定を開始するようにしたものである。


【手続補正３】
【補正対象書類名】明細書
【補正対象項目名】００１１
【補正方法】変更
【補正の内容】
【００１１】
この発明に係る運動療法装置は、ハンドル部に設けられた発光部から照射された光線を受光部が被験者の心臓位置に装着された反射部を介して受光したときに受光検知信号を出力し、この受光部からの受光検知信号を入力した処理部により血圧値の測定を開始するようにしたものである。


【手続補正４】
【補正対象書類名】明細書
【補正対象項目名】００１２
【補正方法】変更
【補正の内容】
【００１２】
この発明に係る運動療法装置は、被験者の心臓位置に装着された発光部からの光線を受光した受光部により受光検知信号を出力し、この受光部からの受光検知信号を入力したときに処理部により血圧値の測定を開始するようにしたものである。


【手続補正５】
【補正対象書類名】明細書
【補正対象項目名】００１４
【補正方法】変更
【補正の内容】
【００１４】
この発明に係る運動療法装置は、撮像部により被験者の撮像を開始し、画面の特定部位を被計測者の心臓位置に装着された位置特定部に一致させることができたときに、撮像検知信号を出力し、この撮像部からの撮像検知信号を入力したときに、処理部により血圧値の測定を開始するようにしたものである。


【手続補正６】
【補正対象書類名】明細書
【補正対象項目名】００１５
【補正方法】変更
【補正の内容】
【００１５】
この発明に係る運動療法装置は、処理部により、ハンドル部の高さ調整時に受光部からの受光検知信号を入力できたときにハンドル部の高さ調整が終了したものとして終了アラームを発生させるようにしたものである。


【手続補正７】
【補正対象書類名】明細書
【補正対象項目名】００１６
【補正方法】変更
【補正の内容】
【００１６】
この発明に係る運動療法装置は、処理部により、受光部からの受光検知信号を入力できなくなったときに警告アラームを発生させるか、または血圧値の測定を中断させるようにしたものである。


【手続補正８】
【補正対象書類名】明細書
【補正対象項目名】００１７
【補正方法】変更
【補正の内容】
【００１７】
この発明に係る運動療法装置は、被験者方向に引き延ばされ、血圧センサと被験者の心臓との高さを一致させる高さ位置合わせ部材を引き延ばした後、処理部により血圧値の計測を開始するようにしたものである。


【手続補正９】
【補正対象書類名】明細書
【補正対象項目名】００４１
【補正方法】変更
【補正の内容】
【００４１】
【発明の効果】
以上のように、この発明によれば、ハンドル部に設けられた発光部からの光線が被験者に対して照射された後に処理部により最高血圧値および最低血圧値の測定を開始するように構成したので、被験者が血圧センサの位置を心臓位置に合わせたか否かを容易に判断でき、血圧値を精度よく測定できるという効果がある。


【手続補正１０】
【補正対象書類名】明細書
【補正対象項目名】００４２
【補正方法】変更
【補正の内容】
【００４２】
この発明によれば、ハンドル部に設けられた発光部から照射された光線を受光部が被験者の心臓位置に装着された反射部を介して受光したときに受光検知信号を出力し、この受光部からの受光検知信号を入力した処理部により最高血圧値および最低血圧値の測定を開始するように構成したので、被験者が血圧センサの位置を心臓位置に合わせたか否かを判断でき、血圧値を精度よく測定できるという効果がある。


【手続補正１１】
【補正対象書類名】明細書
【補正対象項目名】００４３
【補正方法】変更
【補正の内容】
【００４３】
この発明によれば、被験者の心臓位置に装着された発光部からの光線を受光した受光部により受光検知信号を出力し、この受光部からの受光検知信号を入力したときに処理部により最高血圧値および最低血圧値の測定を開始するように構成したので、被験者が反射部の有無に関係なく血圧センサの位置を心臓位置に合わせたか否かを判断でき、血圧値を精度よく測定できるという効果がある。


【手続補正１２】
【補正対象書類名】明細書
【補正対象項目名】００４５
【補正方法】変更
【補正の内容】
【００４５】
この発明によれば、撮像部により被験者の撮像を開始し、画面の特定部位を被計測者の心臓位置に装着された位置特定部に一致させることができたときに、撮像検知信号を出力し、この撮像部からの撮像検知信号を入力したときに、処理部により最高血圧値および最低血圧値の測定を開始するように構成したので、外来ノイズ光等による影響を受けることなく、被験者が血圧センサの位置を心臓位置に合わせたか否かを判断でき、血圧値を精度よく測定できるという効果がある。


【手続補正１３】
【補正対象書類名】明細書
【補正対象項目名】００４６
【補正方法】変更
【補正の内容】
【００４６】
この発明によれば、処理部により、ハンドル部の高さ調整時に受光部からの受光検知信号を入力できたときにハンドル部の高さ調整が終了したものとして終了アラームを発生させるように構成したので、血圧測定中の心臓位置と血圧センサの位置とのずれを確認することができるという効果がある。


【手続補正１４】
【補正対象書類名】明細書
【補正対象項目名】００４７
【補正方法】変更
【補正の内容】
【００４７】
この発明によれば、処理部により、受光部からの受光検知信号を入力できなくなったときに警告アラームを発生させるか、または最高血圧値および最低血圧値の測定を中断させる処理部が受光部からの受光検知信号を入力できなくなったときにアラームを発生するように構成したので、誤った血圧値を除外することができるという効果がある。